(57)【特許請求の範囲】
【請求項１】
内部に機能部を収容し、前側端部に機能面を形成したヘッド体(1) と、
同ヘッド体(1) の重心位置(G) よりも後側端部寄りに連設し、前側面に機能部の操作・表示部(20)を設けたグリップ体(2) と、
前記操作・表示部(20)を区画する境界部の略上半部に設けた横振れ防止用リブ(21)と、を具備するハンディ型機能器具を、起立状態で載置可能とした保持台であって、
台座部(32)と、同台座部(32)から上方に向けて突設し、かつ、前側面に、前記横振れ防止用リブ(21)が嵌挿され、前記操作・表示部(20)が視認可能な切欠部(33)を設けた保持用筒部(30)とからなり、同保持用筒部(30)の内周面を、下部から上部にかけて漸次拡開してグリップ体収納空間(Q) を形成し、同空間(Q) 内におけるグリップ体(2) の収納姿勢が前傾姿勢となるようにして、グリップ体(2) の前側面を保持用筒部(30)の内周面に密接させると共に、
前記切欠部(33)の周縁端面(33a) が前方に向けて拡開するテーパ面をなすことを特徴とするハンディ型機能器具の保持台。
【請求項２】
前記保持用筒部(30)の内周面のうち、少なくとも前側内周面を仮想垂線に対して1.0 〜3.0 °の角度で拡開させたことを特徴とする請求項１に記載のハンディ型機能器具の保持台。
【請求項３】
前記グリップ体収納空間(Q) の底部に、上端がグリップ体(2) の底面に当接する支持用リブ(35)を設けたことを特徴とする請求項１又は２のいずれかに記載のハンディ型機能器具の保持台。
【請求項４】
前記保持用筒部(30)内に形成されたグリップ体収納空間(Q) にグリップ体(2)を収納した際に、同グリップ体(2) の上端部を前記保持用筒部(30)から突出させたことを特徴とする請求項１〜３のいずれかに記載のハンディ型機能器具の保持台。
【発明の詳細な説明】
【０００１】
【発明の属する技術分野】
本発明は、手持ち式のドライヤーや赤外線治療器などを載置するためのハンディ型機能器具の保持台に関するものである。
【０００２】
【従来の技術】
従来、ハンディ型機能器具の一形態として、手持ち式のハンディ型ドライヤーや赤外線治療器などが知られている。
【０００３】
例えばドライヤーであれば、内部にヒータやファンなどからなる機能部を収容し、前側端部に、機能面として温風の吹出口を形成したヘッド体と、同ヘッド体に連設したグリップ体とを具備する構成となっており、さらに、同グリップ体の前側面に、スイッチや通電状態あるいは設定時間を示す表示部を設けている。そして、使用形態としては、通常は手に持って使用するものである。
【０００４】
また、かかるハンディ型ドライヤーや赤外線治療器は、使用しないときに載置しておく場合、載置姿勢が乱雑になることが多いので、ドライヤー本体に保持台を付属させていることがある。
【０００５】
かかる保持台において、ドライヤーや赤外線治療器を載置した状態でも使用できるように、同ドライヤーや赤外線治療器を起立させた状態で保持可能な構成としたものが考えられた。
【０００６】
【発明が解決しようとする課題】
上記したように機能器具を載置した状態でも使用できるようにした保持台は、載置面をなす台座部から、内部にグリップ体収納空間を形成した保持用筒部を上方に向けて突設した構成とし、前記グリップ体収納空間内に機能器具のグリップを差し込むようにしたものが一般的である。
【０００７】
しかし、この場合、単にグリップ体収納空間を形成しただけでは、グリップ体の抜き差しが円滑にいかなかったり、また、起立状態に載置した場合にスイッチ類の操作性が損なわれたり、あるいは、前記表示部の視認性が悪くなるといった課題が残されていた。
【０００８】
本発明は、上記課題を解決することのできるハンディ型機能器具の保持台を提供することを目的としている。
【０００９】
【課題を解決するための手段】
上記課題を解決するために、本発明では、内部に機能部を収容し、前側端部に機能面を形成したヘッド体と、同ヘッド体の重心位置よりも後側端部寄りに連設し、前側面に機能部の操作・表示部を設けたグリップ体と、前記操作・表示部を区画する境界部の略上半部に設けた横振れ防止用リブと、を具備するハンディ型機能器具を、起立状態で載置可能とした保持台であって、台座部と、同台座部から上方に向けて突設し、かつ、前側面に、前記横振れ防止用リブが嵌挿され、前記操作・表示部が視認可能な切欠部を設けた保持用筒部とからなり、同保持用筒部の内周面を、下部から上部にかけて漸次拡開してグリップ体収納空間を形成し、同空間内におけるグリップ体の収納姿勢が前傾姿勢となるようにして、グリップ体の前側面を保持用筒部の内周面に密接させると共に、前記切欠部の周縁端面が前方に向けて拡開するテーパ面をなすこととした。
【００１１】
【発明の実施の形態】
本発明は、内部に機能部を収容し、前側端部に機能面を形成したヘッド体と、同ヘッド体の重心位置よりも後側端部寄りに連設し、前側面に機能部の操作・表示部を設けたグリップ体と、前記操作・表示部を区画する境界部の少なくとも一部に、横振れ防止用リブとを具備するハンディ型機能器具を、起立状態で載置可能とした保持台であって、台座部と、同台座部から上方に向けて突設し、かつ、前側面に、前記横振れ防止用リブが嵌挿され、前記操作・表示部が視認可能な切欠部を設けた保持用筒部とからなり、同保持用筒部の内周面を、下部から上部にかけて漸次拡開してグリップ体収納空間を形成し、同空間内におけるグリップ体の収納姿勢が前傾姿勢となるようにして、グリップ体の前側面を保持用筒部の内周面に密接させると共に、前記切欠部の周縁端面が前方に向けて拡開するテーパ面をなすものである。したがって、グリップ体収納空間が上方広がりとなって、グリップ体の抜き差しが円滑に行えるとともに、グリップ体に設けられた操作・表示部が切欠部から確実に視認でき、かつ、前記切欠部とグリップ体との間に見栄えを損なう無用な間隙が生じることがない。また、横振れ防止用リブにより、グリップ体がグリップ収納空間内で横ぶれすることがなく、機能器具を安定した起立姿勢に保つことができる。さらに、切欠部の周縁端面は前方に向けて拡開するテーパ面とすることにより、切欠部に臨む操作・表示部の視認性が広範囲にわたって良好となる。
【００１４】
また、前記保持用筒部の内周面のうち、少なくとも前側内周面を仮想垂線に対して1.0 〜3.0 °の角度で拡開させることが好ましい。すなわち、1.0 °以下の角度であれば、グリップ体の前側面が保持用筒部の内側面と確実に密接させることが難しく、また、3.0 °以上の角度では、グリップ体の後側面と保持用筒部との間に形成される隙間が大きくなりすぎるからである。
【００１６】
また、前記グリップ体収納空間の底部に、上端がグリップ体の底面に当接する支持用リブを突設するとよい。かかる支持用リブにより、グリップ体の底面を線接触で支持可能となるので、摩擦力が軽減されて機能器具が容易に前傾することになり、より確実にグリップ体の前側面を保持用筒部の内側面に密接させることができる。
【００１８】
さらに、前記保持用筒部内に形成されたグリップ体収納空間にグリップ体を収納した際に、同グリップ体の上端部を前記保持用筒部から突出させることが好ましい。
【００１９】
かかる構成により、グリップ体を持つ場合に保持用筒部から突出した部分を握れば、機能器具の抜き差しの際に手の位置をずらしたり持ち替えたりする必要がなく使い勝手が向上する。
【００２０】
なお、ハンディ型機能器具としては、ドライヤーや赤外線治療器などが考えられるが、これらに限定するものではなく、照明器具などその他各種器具を含むものである。
【００２１】
【実施例】
以下、添付図に示す実施例に基づいて、本発明を具体的に説明する。なお、本実施例では、ハンディ型機能器具を赤外線治療器として説明する。
【００２２】
図１〜図３に本実施例に係るハンディ型機能器具の保持台Ａを示している。同保持台Ａは、後述する赤外線ヒータ４などを具備する機能部を収容するとともに、赤外線を放射する前端開口部12からなる機能面を形成したたヘッド体１に、略矩形断面のグリップ体２を取付けたハンディタイプの赤外線治療器Ｂを起立状態で載置可能に構成している。
【００２３】
赤外線治療器Ｂのグリップ体２は、ヘッド体１の重心位置Ｇよりも後側端部寄りに同ヘッド体１と一体的に形成された取付用枢支部11に上下回動自在に枢支連結されており、同グリップ体２の前側面に前記機能部の操作・表示部20を設け、また、底部からは電源コードＣを延出している。なお、図５に示すように、グリップ体２の内部には、操作・表示部20と前記機能部とにリード線23を介して接続した制御部を有する取付基板22を設けている。図５中、24はリード線挿通用円弧状孔、25はリード線23を被覆する絶縁用チューブである。
【００２４】
そして、前記操作・表示部20には、図３に示すように、上部から下部へかけて順に、入／切スイッチＳと、５分〜20分まで４段階に設定した設定時間表示ランプS1、及び、通電表示ランプS2とを設けている（図５及び図６参照）。本実施例では、入／切スイッチＳをメンブレンスイッチとするとともに、設定時間表示ランプS1と通電表示ランプS2とをLED より構成し、通電表示ランプS2は、電源コードＣが電源へ接続されている状態では常時点灯するようにしている。
【００２５】
このように、グリップ体２に操作・表示部20を設けており、しかも、グリップ体２の前側面に位置させているので、本赤外線治療器Ｂを手に持って使用する場合、指でスイッチ操作を簡単に行えるので、ハンディ型として使い勝手が良好となっている。
【００２６】
本発明に係る保持台Ａは、円形状に形成し、裏面に図示しない載置用脚を形成した台座部32と、同台座部32に一体的に立設するとともに、前記グリップ体２を収納するグリップ体収納空間Ｑを形成した保持用筒部30とから構成している。そして、合成樹脂製として軽量化するとともに、保持用筒部30を、ヘッド体１の重心位置Ｇに合わせて台座部32の中心よりも半径方向にわずかに後方から立設させて、軽量であるにもかかわらず転倒することがないようにし、さらに、基部から上端部にかけてわずかに先細り状として意匠上のデザイン性を高めている。
【００２７】
また、保持用筒部30の前側面を形成する平面部に、グリップ体収納空間Ｑ内に前記グリップ体２を収納した際に前記操作・表示部20を操作でき、かつ、視認できるように切欠部33を設ける一方、後側面には、前記電源コードＣを逃がすためのスリット31を上端縁から基部にかけて形成している。したがって、赤外線治療器Ｂを保持台Ａに保持させた状態で使用する場合、機能面すなわち赤外線を放射する前端開口部12と対峙する使用者は操作・表示部20の操作及び視認が容易に行えるとともに、電源コードＣが保持用筒部30の後方に伸延することになるので治療中の邪魔になることがない。
【００２８】
なお、前記切欠部33は、保持用筒部30の上端縁から中程位置までの間にかけて略矩形形状に形成され、かつ、下方にいくにしたがって、その横幅がわずかに狭められている。
【００２９】
グリップ体収納空間Ｑは、保持用筒部30の内周面を、下部から上部にかけて漸次拡開して形成しており、本実施例では、内周面のうち、少なくとも前側内周面を仮想垂線に対して2.0 °の角度で拡開させている。
【００３０】
かかる構成により、図４に示すように、グリップ体収納空間Ｑの上部はグリップ体２の下部側よりも広くなってグリップ体２の保持用筒部30に対しての抜き差しが円滑に行える。
【００３１】
しかも、グリップ体収納空間Ｑ内にグリップ体２を収納すると、ヘッド体１の重心位置Ｇがグリップ体２の取付基部をなす取付用枢支部11の中心よりも距離Ｌだけ前側に位置するので収納姿勢は自然に前傾姿勢となり（図２）、図４に示すように、グリップ体２の前側面が保持用筒部30の内周面に密接し、グリップ体２の操作・表示部20が前記切欠部33から確実に視認できるようになる。また、同切欠部33とグリップ体２との間に見栄えを損なう無用な間隙が生じることもなくなり、赤外線治療器Ｂの載置姿勢のおさまりが良好となる。なお、図４では、グリップ体２の内部機構を省略してハッチングで示した。
【００３２】
さらに、赤外線治療器Ｂの入／切スイッチＳを操作する場合、指で押す力により赤外線治療器Ｂ自体が保持用筒部30の後側内周面に当接するまで後方へ一度戻され、スイッチ操作がなされた後に再度前方へ傾動するという一連の動きがなされるので使用者はスイッチ操作を実感することができる。しかも、赤外線治療器Ｂの前後往復動作においてグリップ体２と保持用筒部30との当接により発せられる叩音により、触覚のみならず聴覚の面からもスイッチ操作を実感することができるので操作感がより向上する。なお、本実施例では入／切スイッチＳを押圧式のメンブレンスイッチとしているが、これはスライド式のスイッチであっても同様な効果を奏する。
【００３３】
また、本実施例では、グリップ体２に設けた前記操作・表示部20を区画する境界部の略上半部に、前記切欠部33内に嵌挿される横振れ防止用リブ21を正面視で逆Ｕ字状に設けている。かかる横振れ防止用リブ21により、グリップ体２がグリップ収納空間Ｑ内で横ぶれすることを防止して、赤外線治療器Ｂの起立姿勢を安定状態に保持可能としている。
【００３４】
しかも、図１及び図４に示すように、切欠部33の両側縁内側には、グリップ体２の前側面に対応するグリップ体受部34をそれぞれ張出状に形成し、前記横振れ防止用リブ21との協働により、グリップ体２の安定保持を確実に行えるようにしている。
【００３５】
さらに、図１〜図４に示すように、グリップ体収納空間Ｑの底部に、上端がグリップ体２の底面に当接する左右一対の支持用リブ35を設けている。
【００３６】
かかる支持用リブ35により、グリップ体２の底面を線接触で支持可能となるので面同士の接触に比べて摩擦力が軽減され、赤外線治療器Ｂが容易に前傾することになり、より確実にグリップ体２の前側面を保持用筒部の内側面に密接させることができる。
【００３７】
また、本実施例では、図２、及び図３に示すように、グリップ体収納空間Ｑにグリップ体２を収納した際に、同グリップ体２の上端部が保持用筒部30の上端縁から突出するようにしている。この突出量は、前記支持用リブ35の高さを設定することにより容易に決定することができる。
【００３８】
かかる構成により、グリップ体２を持つ場合に保持用筒部30から突出した部分を握れば、赤外線治療器Ｂの抜き差しの際に手の位置をずらしたり持ち替えたりする必要がなく、しかも、本実施例では、かかる突出部分に入／切スイッチＳが設けられているのでスイッチ操作が抜き差し動作と連続動作で行えることになって使い勝手が向上する。
【００３９】
さらに、本実施例では、前記切欠部33の周縁端面33a を前方に向けて拡開するテーパ面としている。したがって、切欠部33に臨む操作・表示部20の視認性が広範囲にわたって良好となり、前述したように正面からのみでなく、やや側方にずれた位置からでも操作・表示部20の設定時間表示ランプS1、及び、通電表示ランプS2を視認でき、作動状態を識別することができる。
【００４０】
以上説明してきたように、本実施例に係る保持台Ａは、グリップ体２の保持用筒部30に対しての抜き差しが円滑に行えるとともに、保持用筒部30に保持させた状態での赤外線治療器Ｂの起立姿勢を整えることができ、かつ、操作・表示部20の使い勝手を向上させることができる。
【００４１】
次に、上記してきた保持台Ａに起立状に載置される赤外線治療器Ｂについて、より詳細に説明する。
【００４２】
赤外線治療器Ｂは、図５及び図６に示すように、左右一対の半割りケーシング10,10 を接合して、前後端開口の筒状のヘッド体１を構成し、機能面となる前端開口部12に蜘蛛の巣状の前側カバー体14を、また、後端開口部13にはメッシュ状の後側カバー体15を装着している。15a は後側カバー体15を押さえるためのリング、16は前側カバー体14を具備し、ヘッド体１の前端開口部12に着脱自在に取付けたキャップである。
【００４３】
また、ヘッド体１の内部には、前側から順に、赤外線を放射するための赤外線ヒータ４、同ヒータ４を囲繞する截頭椀状の反射板５、通電後直ちに発熱可能とした補助ヒータ７、前端開口部12から患部に向けて温風を送るためのファン８をそれぞれ配設している。80は筒状に形成したファンケース、81はファン駆動軸、82は同ファン駆動軸81と連動連結したファンモータである。
【００４４】
赤外線ヒータ４は、図６に示すように、取付軸であるねじ体41a を突設した円形のバックプレート41に、ステンレスやアルミニウム等の金属板にセラミックスを塗布焼成した円形の赤外線プレート40を取付けて構成されており、同赤外線プレート40とバックプレート41との間に、マイカ板42,42 により挟持されるとともに、ニクロムヒータ線43a を巻回したヒータ基板43を介設している。
【００４５】
補助ヒータ７は、通電直後から発熱し、赤外線ヒータ４よりは熱容量を小さくした剥き出しのコイル状のヒータ線7aを、二枚の基板を断面視十字状に組み合わせて構成したヒータ基板71に巻回するとともに、前記赤外線ヒータ４よりも小径とした金属性の筒状の遮熱ケーシング70で囲繞し、補助ヒータ７の熱が直接ヘッドケーシング10に伝わらないように構成している。
【００４６】
また、前記ヒータ基板71の中央部分に設けたモータ収納部71a にファン８のファンモータ82の後半部を収納配設するとともに、前半部をファンケース80の中心部に設けたモータ保持筒80a で保持する構成としている。
【００４７】
かかる構成により、補助ヒータ７とファン８とが連設されて同補助ヒータ７とファン８との配設間隔を可及的に短くすることができ、ヘッド体１内のレイアウトのコンパクト化が図れるので、赤外線治療器Ｂを小型化することができる。
【００４８】
このように、赤外線治療器Ｂは、コンパクトな構成となっており、手に持って容易に使用することができ、かつ、補助ヒータ７とファン８を設けているので、赤外線治療器Ｂの立上直後から温風を患部に送風可能となって患部を即座に温めることができ、しかも、治療中の間、絶えず温風を患部に当てることできるので使用感を向上させることができる。
【００４９】
また、図５及び図６において、６は前記ファン８からの風が直接赤外線ヒータ４の背側中央部に当たらないように設けた邪魔板であり、同邪魔板６は、赤外線ヒータ４を取付けるためにヘッド体１内に配設した環状固定板17に取付けられている。そして、同環状固定板17は、ヘッド体１内に着脱自在に配設した筒状ユニットケーシングＥの前部開口に着脱自在に取付けている。63は前記邪魔板６に取付けた温度ヒューズである。
【００５０】
ここで、ヘッド体１に上下回動自在に連結したグリップ体２について説明を加えると、図７に示すように、グリップ体２は、その基端部に設けた枢支軸受部26に、ヘッドケーシング10に形成した取付用枢支部11に突設した枢軸18を嵌合枢支して折畳自在に取付けている。換言すれば、ヘッド体１をグリップ体２に対して上下回動自在としている。
【００５１】
そして、前述したように、グリップ体２の前側面に操作・表示部20を設け、その最下部に通電表示ランプS2を設けており（図３及び図６参照）、本実施例では、かかる通電表示ランプS2の配設位置を以下のように規定している。
【００５２】
すなわち、図８に示すように、赤外線治療器Ｂを保持台Ａに保持させた状態でヘッド体１を完全に下向きとした場合、通電表示ランプS2がヘッド体１により覆い隠されない位置に設けたものである。
【００５３】
同通電表示ランプS2は、電源コードＣが電源に接続されていると、入／切スイッチＳの状態にかかわらず点灯しているので、例えば、治療を終えて赤外線治療器Ｂを保持台Ａに載置した状態で放置した場合、電源コードＣをコンセントなどから抜き忘れていても、通電表示ランプS2の点灯を視認することにより電源コードＣの抜き忘れに気付くことができる。なお、この点については、赤外線治療器Ｂを保持台Ａに載置している状態に限らず、赤外線治療器Ｂ単体で放置していても同様な効果を奏するものである。
【００５４】
また、保持台Ａの保持用筒部30に形成した切欠部33の周縁端面33a が、前述したように、前方に向けて拡開するテーパ面となっているので、周縁端面33a が保持用筒部30の外周面に対して凹部を形成することになり、ヘッド体１を下向きとした場合、図９に示すように、ヘッド体１の前側周面が前記凹部に収まり、その載置姿勢をよりコンパクトにすることができる。
【００５５】
このときに、入／切スイッチＳはヘッド体１によって完全に覆い隠されているので、誤ってスイッチＯＮとする誤操作のおそれがなく、したがって、ヘッド体１が下向きの状態で動作してしまい、保持台Ａの台座部32や保持用筒部30を加熱変形させたり、溶解させたりすることがなく、また、台座部32を載置する載置面を焦がしたりすることがない。
【００５６】
ここで、さらにグリップ体２の連結構造について図７を参照しながら詳述すると、グリップ体２は、これを折畳む、あるいは、ヘッド体１を下向きにする際には所定の角度づつ段階的に回動するようにしている。
【００５７】
すなわち、図７(b) に示すように、取付用枢支部11の内部に多数の凸状係合体19を円周方向に多数設ける一方、グリップ体２の枢支軸受部26には、前記枢軸18を嵌入可能で、かつ、外周面に前記凸状係合体19と係合する突起27,27 を形成したリング28を回動不能状態に取付けた筒体29を設け、グリップ体２あるいはヘッド体１を枢軸18回りに回動させると、突起27が凸状係合体19を乗り越える際に使用者にクリック感を与えながら、段階的にグリップ体２を動かすことができるものである。
【００５８】
そして、本実施例では、グリップ体２が完全に折り畳まれる位置（図７(b) ）に至る際に突起27が乗り越えるべき凸状係合体19',19' を他の係合体19よりも突出長さを低くしてなだらかに形成し、使用者がグリップ体２を完全に折り畳む際に、勢いあまって同グリップ体２とヘッド体１との間に指などを挟まないようにしている。なお、図７中、26a は枢支軸受部26に切欠環状に突設した回動ガイド、26b は同回動ガイド26a が周回した終点位置で端部に当接するように取付用枢支部11に設けたストッパである。
【００５９】
以上、本実施例では、ハンディ型の機能器具として赤外線治療器Ｂを例にして説明したが、本発明に係る保持台Ａは、上記赤外線治療器Ｂに限らず、ドライヤーや照明器具など、各種のハンディ型機能器具に適用することが可能である。
【００６０】
【発明の効果】
以上説明してきたように、本発明では以下の効果を奏する。
【００６１】
〔１〕請求項１記載の本発明では、内部に機能部を収容し、前側端部に機能面を形成したヘッド体と、同ヘッド体の重心位置よりも後側端部寄りに連設し、前側面に機能部の操作・表示部を設けたグリップ体と、前記操作・表示部を区画する境界部の略上半部に設けた横振れ防止用リブと、を具備するハンディ型機能器具を、起立状態で載置可能とした保持台であって、台座部と、同台座部から上方に向けて突設し、かつ、前側面に、前記横振れ防止用リブが嵌挿され、前記操作・表示部が視認可能な切欠部を設けた保持用筒部とからなり、同保持用筒部の内周面を、下部から上部にかけて漸次拡開してグリップ体収納空間を形成し、同空間内におけるグリップ体の収納姿勢が前傾姿勢となるようにして、グリップ体の前側面を保持用筒部の内周面に密接させると共に、前記切欠部の周縁端面が前方に向けて拡開するテーパ面をなすこととしたため、グリップ体収納空間が上方拡がりとなって、グリップ体の抜き差しが円滑に行えるとともに、グリップ体に設けられた操作・表示部が切欠部から確実に視認でき、かつ、前記切欠部とグリップ体との間に見栄えを損なう無用な間隙が生じることがない。また、操作・表示部を区画する境界部の少なくとも一部に、前記切欠部内に嵌挿される横振れ防止用リブを設けたことにより、上記の効果に加え、グリップ体がグリップ収納空間内で横ぶれすることがなく、機能器具を安定した起立姿勢に保つことができる。さらには、切欠部の周縁端面が前方に向けて拡開するテーパ面をなすこととしたので、上記の効果に加え、切欠部に臨む操作・表示部の視認性が広範囲にわたって良好となる。
【００６４】
〔２〕請求項２記載の本発明では、前記保持用筒部の内周面のうち、少なくとも前側内周面を仮想垂線に対して1.0 〜3.0 °の角度で拡開させたことにより、前記〔１〕の効果に加え、グリップ体の前側面を保持用筒部の内側面に確実に密接させることができ、かつ、グリップ体の後側面と保持用筒部との間に形成される隙間が無用に大きくなることがない。
【００６５】
〔３〕請求項３記載の本発明では、前記グリップ体収納空間の底部に、上端がグリップ体の底面に当接する支持用リブを設けたことにより、前記〔１〕〜〔２〕の効果に加え、グリップ体の底面を線接触で支持可能となるので、摩擦力が軽減されて機能器具が容易に前傾することになり、より確実にグリップ体の前側面を保持用筒部の内側面に密接させることができる。
【００６７】
〔４〕請求項４記載の本発明では、前記保持用筒部内に形成されたグリップ体収納空間にグリップ体を収納した際に、同グリップ体の上端部を前記保持用筒部から突出させたことにより、グリップ体を持つ場合に保持用筒部から突出した部分を握れば、機能器具の抜き差しの際に手の位置をずらしたり持ち替えたりする必要がなく使い勝手が向上する。
【図面の簡単な説明】
【図１】本発明に係るハンディ型機能器具の保持台を示す説明図である。
【図２】同保持台に赤外線治療器を載置させた状態の側面視を示す説明図である。
【図３】同保持台に赤外線治療器を載置させた状態の正面視を示す説明図である。
【図４】保持用筒部の横断面を示す説明図である。
【図５】赤外線治療器の断面図である。
【図６】同赤外線治療器の分解斜視図である。
【図７】グリップ体の連結構造を示す説明図である。
【図８】ヘッド体を下向きにして保持台に載置した状態の正面視による説明図である。
【図９】ヘッド体を下向きにして保持台に載置した状態の側面視による説明図である。
【符号の説明】
Ａ  保持台
Ｂ  赤外線治療器
Ｇ  重心位置
Ｑ  グリップ体収納空間
１  ヘッド体
２  グリップ体
20  操作・表示部
21  横振れ防止用リブ
30  保持用筒部
32  台座部
33  切欠部
33a 周縁端面
35  支持用リブ
【図１】
0004044162.tif 000002
【図２】
0004044162.tif 000003
【図３】
0004044162.tif 000004
【図４】
0004044162.tif 000005
【図５】
0004044162.tif 000006
【図６】
0004044162.tif 000007
【図７】
0004044162.tif 000008
【図８】
0004044162.tif 000009
【図９】
0004044162.tif 000010